(57)【要約】【課題】雨水がかご室内や乗場に侵入するのを抑制できるようにしたエレベータのドア装置を提供する。【解決手段】乗場またはかごの出入口を開閉するドアパネル１と、このドアパネル１の下端部に取り付けられたガイドシュー２と、ドアパネル１の下方に配置されガイドシュー２を案内する案内溝３を設けた敷居４とを備え、敷居４の上面に段差部７を設け、敷居４の上面における出入口範囲内の部位８が戸袋側の部位９よりも高くなるようにしたことを特徴とする。【選択図】　　　図１
2004107089.tif 000002
【特許請求の範囲】
【請求項１】
乗場またはかごの出入口を開閉するドアパネルと、このドアパネルの下端部に取り付けられたガイドシューと、前記ドアパネルの下方に設置され前記ガイドシューを案内する案内溝を設けた敷居とを備え、前記敷居の上面に段差部を設け、前記敷居の上面における出入口範囲内の部位が戸袋側の部位よりも高くなるようにしたことを特徴とするエレベータのドア装置。
【請求項２】
前記敷居の上面における出入口範囲内の部位の両側の部位が戸袋側の部位よりも高くなるようにしたことを特徴とする請求項１記載のエレベータのドア装置。
【請求項３】
前記ドアパネルにおける戸袋側の側端部の下端部にシール材を取り付け、前記ドアパネルが閉状態にあるときに前記シール材が前記段差部における戸袋側の端部に接して前記ドアパネルと前記敷居の上面との間の隙間がシールされるようにしたことを特徴とする請求項１又は請求項２記載のエレベータのドア装置。
【請求項４】
前記シール材が弾性体で、前記ドアパネルが閉状態にあるときに前記段差部における戸袋側の端部が前記ドアパネルにおける戸袋側の側端部よりも戸袋側に位置するようにしたことを特徴とする請求項３記載のエレベータのドア装置。
【請求項５】
前記案内溝の底面における前記段差部の近傍の部位に水抜き孔を設けたことを特徴とする請求項１乃至請求項４のいずれかに記載のエレベータのドア装置。
【請求項６】
乗場またはかごの出入口を開閉するドアパネルと、このドアパネルの下端部に取り付けられたガイドシューと、前記ドアパネルの下方に設置され前記ガイドシューを案内する案内溝を設けた敷居とを備え、前記案内溝の底面が出入口側から戸袋側に向けて下り勾配で傾斜したことを特徴とするエレベータのドア装置。
【請求項７】
乗場またはかごの出入口を開閉するドアパネルと、このドアパネルの下端部に取り付けられたガイドシューと、前記ドアパネルの下方に設置され前記ガイドシューを案内する案内溝を設けた敷居とを備え、前記案内溝と交差すると共に底面が前記敷居の上面から前記案内溝へ向けて下り勾配となるように形成された排水溝を前記敷居の上面に設けたことを特徴とするエレベータのドア装置。
【請求項８】
前記排水溝を、前記出入口範囲よりも戸袋側で且つ前記出入口範囲の近傍の部位に設けると共にその底面が乗場側またはかご室内側から前記案内溝に向けて下り勾配となるように形成したことを特徴とする請求項７記載のエレベータのドア装置。
【請求項９】
前記案内溝の底面における前記排水溝の近傍の部位に水抜き孔を設けたことを特徴とする請求項７又は請求項８記載のエレベータのドア装置。
【発明の詳細な説明】
【０００１】
【発明の属する技術分野】
本発明はエレベータのドア装置に関し、特に乗場またはかごの出入口に設けた敷居を改良したドア装置に関するものである。
【０００２】
【従来の技術】
図４は従来のエレベータのドア装置の要部斜視図である。このドア装置は、乗場またはかごの出入口を開閉するドアパネル１０１と、このドアパネル１０１の下端部に取り付けられたガイドシュー１０２と、ドアパネル１０１の下方に設置されガイドシュー１０２を案内する案内溝１０３を設けた敷居１０４とを備えている。
【０００３】
ドアパネル１０１の正面下部には、敷居１０４の上面におけるドアパネル１０１の正面に対応する部位を覆うように、ドアパネル１０１の全幅にわたって防水カバー１０５が取り付けられている。この防水カバー１０５を設けたことにより、ドアパネル１０１の正面に降り注ぐ雨水が、案内溝１０３における出入口に対応する部分に溜まることがなく、また、ドアパネル１０１の下端と敷居１０４の間に入り込むこともない。したがって、雨水が乗場またはかご室内へ侵入するのを防止することができる（下記特許文献１参照）。
【０００４】
【特許文献１】
実開昭６０−６９２７７号公報（第３−４ページ、第３図）
【０００５】
【発明が解決しようとする課題】
しかしながら、上記従来技術の構成では、ドアパネル１０１の正面に降り注ぐ雨水が乗場やかご室内に侵入するのを防止することができても、敷居１０４の上面が平坦なために、ドアパネル１０１の側面や戸袋部分に降り注いだ雨水がそのまま敷居１０４の上面を伝わって出入口へ回り込み、あるいは、雨水が敷居１０４の上面で飛び散ってかご室内や乗場へ侵入して床を濡らす恐れがあった。
【０００６】
また、敷居１０４の上面や案内溝１０３の排水対策が不十分であれば、ドアパネル１０１の開閉に伴って、案内溝１０３に溜まった雨水がガイドシュー１０２により掻き出され、同様にかご室内や乗場の床に雨水が侵入する恐れがあるという問題点があった。
【０００７】
そこで、本発明の目的は、上記従来技術の課題を解決し、雨水がかご室内や乗場に侵入するのを抑制できるようにしたエレベータのドア装置を提供することにある。
【０００８】
【課題を解決するための手段】
上記目的を達成するために、第１の発明は、乗場またはかごの出入口を開閉するドアパネルと、このドアパネルの下端部に取り付けられたガイドシューと、前記ドアパネルの下方に設置され前記ガイドシューを案内する案内溝を設けた敷居とを備え、前記敷居の上面に段差部を設け、前記敷居の上面における出入口範囲内の部位が戸袋側の部位よりも高くなるようにしたことを特徴とするエレベータのドア装置である
また、第２の発明は、乗場またはかごの出入口を開閉するドアパネルと、このドアパネルの下端部に取り付けられたガイドシューと、前記ドアパネルの下方に設置され前記ガイドシューを案内する案内溝を設けた敷居とを備え、前記案内溝の底面が出入口側から戸袋側に向けて下り勾配で傾斜したことを特徴とするエレベータのドア装置である。
【０００９】
また、第３の発明は、乗場またはかごの出入口を開閉するドアパネルと、このドアパネルの下端部に取り付けられたガイドシューと、前記ドアパネルの下方に設置され前記ガイドシューを案内する案内溝を設けた敷居とを備え、前記案内溝と交差すると共に底面が前記敷居の上面から前記案内溝へ向けて下り勾配となるように形成された排水溝を前記敷居の上面に設けたことを特徴とするエレベータのドア装置である。
【００１０】
【発明の実施の形態】
以下、本発明の一実施形態を図面と共に詳述する。図１は本発明の一実施形態の要部斜視図、図２は図１のドア装置の防水カバーを取り外した状態の要部正面図である。
【００１１】
図１に示すドア装置は、乗場またはかごの出入口を開閉するドアパネル１と、このドアパネル１の下端部に取り付けられたガイドシュー２と、ドアパネル１の下方に設置されガイドシュー２を案内する案内溝３を設けた敷居４とを備えている。
【００１２】
ドアパネル１の正面下部には、敷居４の上面におけるドアパネル１の正面に対応する部位を覆うように、ドアパネル１の全幅にわたって防水カバー５が取り付けられている。また、ドアパネル１における戸袋側の側端面の下端部に板状のシール材６が取り付けられていて、その下端部はドアパネル１の下端部から下方に突出している（図２参照）。
【００１３】
敷居４の上面には段差部７が設けられている。この段差部７は、敷居４の上面における出入口範囲内の部位８、すなわち出入口範囲の左右の境界線を表す一対の二点鎖線Ｌよりも内側の部位８が、敷居４の上面における戸袋側の部位９よりも高くなるように形成されている。
【００１４】
また、本実施形態では、段差部７は、敷居４の上面における出入範囲内の部位８の両側の部位１０も戸袋側の部位９よりも高くなるように形成されている。段差部７の高さは例えば５ｍｍ程度に設定され、戸袋に雨水が降り注いだときに出入口へ侵入しようとする雨水を堰き止める。
【００１５】
なお、ドアパネル１が開いているときに出入口を通過する乗客には敷居９の段差が見えないので、通常のドア装置と比べて意匠的には何ら変わらず、違和感を与えることがないというメリットがある。
【００１６】
図２に示すように、段差部７における戸袋側の端部１１は、ドアパネル１が閉状態にあるときにドアパネル１における戸袋側の端部１２よりも戸袋側に位置するようになっている。また、シール材６はゴム等の弾性体により形成されており、ドアパネル１が閉状態にあるときに段差部７の端部１１に接して弾性変形し、ドアパネル１と段差部７の上面８との間の隙間Ｇを確実にシールする。
【００１７】
したがって、段差部７を乗り越えて出入口へ侵入しようとする雨水を阻止する効果がある。また、激しい降雨時においても、敷居４の上面における戸袋側の部位９で飛び跳ねる雨水の侵入を防ぐことができる。シール材６の材質としては、ゴムや他の樹脂等の中から、柔軟性を有すると共に耐候性に優れたものが選定される。
【００１８】
なお、シール材６の下端部は、敷居４の上面における戸袋側の部位９の上方に位置しており、ドアパネル１の開閉時にシール材６が敷居４の上面に接触しないので、シール材６が摩耗せず、シール材６の摺動音も発生しない。
【００１９】
また、案内溝３の底面１３には、段差部７の近傍で且つ戸袋側に位置するように水抜き孔１４が設けられていて、案内溝３内に流れ込んだ雨水を敷居４の下方の所定箇所に排水するようにしている。この水抜き孔１４は、段差部７付近での排水を促進し、敷居４の上面の戸袋側の部位９における水位の上昇の抑制に寄与するため、雨水の出入口への侵入防止に有効である。
【００２０】
なお、図２に示すように、ガイドシュー２は、戸袋側においても案内溝３と十分なかかり代を有するように形成されているため、ドアパネル１の開閉に際してガイドシュー２が案内溝３を逸脱することはない。
【００２１】
また、本実施形態では、案内溝３の底面１３を、出入口側から戸袋側へ向かって下り勾配状に傾斜させている。このようにすることで、案内溝３に流れ込んだ雨水を速やかに外部に排出することができ、雨水が案内溝３内に滞留することがなくなる。したがって、ドアパネル１の開閉に伴ってガイドシュー２により案内溝３内の雨水が掻き出さることがなく、ドアパネル１の開閉時にかご室内や乗場の床に雨水が侵入する恐れがない。
【００２２】
特に、本実施形態のように、中央部から両側へ開く中央両開きタイプのドアパネルを備えたものにおいては、出入口の中心を最高点にして左右対称になるように案内溝３の底面１３を下り勾配の傾斜面とする。これにより、敷居４の建物への据え付け水平精度が良好でなくても、案内溝３に流れ込んだ雨水を左右両方向またはいずれかの方向へ確実に排水することができる。
【００２３】
次に、本発明の他の実施形態を説明する。図３は本発明の他の実施形態の要部斜視図である。なお、本実施形態において、上記実施形態と同一または類似の部分には同一の符号を付してあり、重複する説明は省略してある。
【００２４】
本実施形態では、段差部７の上面におけるドアパネル１とかご室の間の部位に案内溝３と直交する排水溝１５が設けられていて、その底面１６は、段差部７の上面から案内溝３へ向けて下り勾配となるように形成されている。このように形成された排水溝１５を設けたことで、段差部７の上面に降り注がれた雨水を案内溝３へ導くことができる。
【００２５】
また、本実施形態では、排水溝１５が、出入口範囲よりも戸袋側で且つ出入口範囲の近傍の部位に設けられているので、段差部７を乗り越えて段差部７上面に伝わってきたわずかな雨水を案内溝３に排水することができ、乗場やかご室の床に雨水が侵入するのを防止することができる。
【００２６】
さらに、水抜き孔１４を排水溝１５の近傍の部位に設けるようにすれば、雨水を即時に外部へ排出することができ、効果的である。
【００２７】
【発明の効果】
以上のように、第１の発明によれば、敷居の上面に段差部を設けて、敷居の上面における出入口範囲内の部位が戸袋側の部位よりも高くなるようにしたことにより、敷居の上面における戸袋側の部位が雨水で浸漬しても、段差部によって堰き止められるため、雨水がかご室や乗場に侵入するのを抑制することができる。
【００２８】
また、第２の発明によれば、案内溝の底面が出入口側から戸袋側に向けて下り勾配で傾斜したことにより、案内溝に流れ込んだ雨水を速やかに外部に排出することができ、案内溝内に雨水が滞留することがなくなるので、ドアパネルの開閉に伴ってガイドシューにより案内溝内の雨水が掻き出さることがなく、雨水がかご室や乗場に侵入するのを抑制することができる。
【００２９】
また、第３の発明によれば、案内溝と交差すると共に底面が敷居の上面から案内溝へ向けて下り勾配となるように形成された排水溝を敷居の上面に設けたことにより、段差部の上面に降り注がれた雨水を案内溝へ導くことができるので、雨水がかご室や乗場に侵入するのを抑制することができる。
【図面の簡単な説明】
【図１】本発明の一実施形態の要部斜視図。
【図２】図１のドア装置の防水カバーを取り外した状態の要部正面図。
【図３】本発明の他の実施形態の要部斜視図。
【図４】従来のエレベータのドア装置の要部斜視図。
【符号の説明】
１　ドアパネル
２　ガイドシュー
３　案内溝
４　敷居
７　段差部
８　敷居の上面における出入口範囲内の部位
９　敷居の上面における戸袋側の部位
１４　水抜き孔
１５　排水溝
【図１】
2004107089.tif 000003
【図２】
2004107089.tif 000004
【図３】
2004107089.tif 000005
【図４】
2004107089.tif 000006